(57)【要約】【課題】用紙搬送経路内では紙粉、インクミストや塵埃等が飛散する場合がある。この様な異物が、発光素子或いは受光素子に付着して検出能力が低下してしまう虞がある。【解決手段】媒体搬送装置は、媒体を搬送する媒体搬送経路と、前記媒体搬送経路と交差する検出光によって媒体を検出する媒体検出手段と、を備えている。前記媒体検出手段は、前記検出光の光路を構成する部位であって、前記媒体搬送経路を挟んで一方に配置される第１光学部位及び他方に配置される第２光学部位を備え、前記第２光学部位は、前記媒体搬送経路の経路面と交差する方向に延びる壁面に形成された凹部に収容される。【選択図】図４
2020121838.tif 000002
【特許請求の範囲】
【請求項１】
媒体を搬送する媒体搬送経路と、
前記媒体搬送経路と交差する検出光によって媒体を検出する媒体検出手段と、を備え、
前記媒体検出手段は、前記検出光の光路を構成する部位であって、前記媒体搬送経路を挟んで一方に配置される第１光学部位及び他方に配置される第２光学部位を備え、
前記第１光学部位及び前記第２光学部位の一方又は双方が、前記媒体搬送経路の経路面と交差する方向に延びる壁面に形成された凹部に収容される、
ことを特徴とする媒体搬送装置。
【請求項２】
請求項１に記載の媒体搬送装置において、前記媒体搬送経路は、鉛直方向と交差する方向に延び、
前記第２光学部位は、前記媒体搬送経路に対し下に配置され、前記凹部に収容される、
ことを特徴とする媒体搬送装置。
【請求項３】
請求項２に記載の媒体搬送装置において、前記凹部と前記媒体搬送経路との間には、前記壁面から突出する突出部が設けられる、
ことを特徴とする媒体搬送装置。
【請求項４】
請求項２または請求項３に記載の媒体搬送装置において、前記壁面は、前記凹部よりも下方に延びている、
ことを特徴とする媒体搬送装置。
【請求項５】
請求項２から請求項４のいずれか一項に記載の媒体搬送装置において、前記凹部は、前記検出光を透過する透過部材で覆われる、
ことを特徴とする媒体搬送装置。
【請求項６】
請求項２から請求項５のいずれか一項に記載の媒体搬送装置において、前記壁面は、媒体搬送方向に沿う面である、
ことを特徴とする媒体搬送装置。
【請求項７】
請求項２から請求項５のいずれか一項に記載の媒体搬送装置において、前記壁面は、媒体搬送方向の下流方向を向く面である、
ことを特徴とする媒体搬送装置。
【請求項８】
請求項２から請求項５のいずれか一項に記載の媒体搬送装置において、前記壁面は、媒体搬送方向の上流方向を向く面である、
ことを特徴とする媒体搬送装置。
【請求項９】
請求項２から請求項８のいずれか一項に記載の媒体搬送装置において、前記壁面と対向し、前記媒体搬送経路の経路面と交差する方向に延びる対向面を有し、
前記第１光学部位は、前記検出光を発する発光素子を含み、
前記第２光学部位は、前記検出光を反射させる第１反射面を含み、
前記対向面には、前記第１光学部位から発せられた前記検出光を前記第２光学部位に向けて反射させ、前記第２光学部位で反射した前記検出光を前記第１光学部位に向けて反射させる第２反射面が設けられる、
ことを特徴とする媒体搬送装置。
【請求項１０】
請求項９に記載の媒体搬送装置において、前記第２反射面と前記媒体搬送経路との間には、前記対向面から突出する庇部が設けられる、
ことを特徴とする媒体搬送装置。
【請求項１１】
請求項２から請求項８のいずれか一項に記載の媒体搬送装置において、前記第１光学部位は、前記検出光を発する発光素子、及び前記検出光を受光する受光素子を含み、
前記第２光学部位は、前記検出光を前記第１光学部位に向けて反射させる反射面を含み、
前記第１光学部位と前記第２光学部位とが対向する位置にある、
ことを特徴とする媒体搬送装置。
【請求項１２】
請求項２から請求項８のいずれか一項に記載の媒体搬送装置において、前記第１光学部位は、前記検出光を発する発光素子を含み、
前記第２光学部位は、前記検出光を受光する受光素子を含み、
前記第１光学部位と前記第２光学部位とが対向する位置にある、
ことを特徴とする媒体搬送装置。
【請求項１３】
媒体に記録を行う記録手段と、
媒体を搬送する、請求項１から請求項１２のいずれか一項に記載の前記媒体搬送装置と、
を備えた記録装置。
【発明の詳細な説明】
【技術分野】
【０００１】
本発明は、媒体を搬送する媒体搬送装置、およびこれを備えた記録装置に関する。
【背景技術】
【０００２】
ファクシミリやプリンター等に代表される記録装置においては、媒体の一例である用紙の搬送経路に、用紙の先端或いは後端の通過を検出する為の検出手段が設けられる。  
この検出手段としては、例えば、用紙搬送経路に向けて検出光を発する発光素子と、発光素子から発せられた光を受光する受光素子と、を一対で備える光センサーがある（例えば、特許文献１）。
【先行技術文献】
【特許文献】
【０００３】
【特許文献１】特開２０１８−７６１７４号公報
【発明の概要】
【発明が解決しようとする課題】
【０００４】
用紙搬送経路を用紙が搬送される際、用紙から紙粉が発生する場合がある。また、用紙搬送経路内では紙粉のほか、インクミストや塵埃等が飛散する場合がある。この様な異物が、発光素子或いは受光素子に付着して検出能力が低下してしまう虞がある。
【課題を解決するための手段】
【０００５】
上記課題を解決する本発明の媒体搬送装置は、媒体を搬送する媒体搬送経路と、前記媒体搬送経路と交差する検出光によって媒体を検出する媒体検出手段と、を備え、前記媒体検出手段は、前記検出光の光路を構成する部位子であって、前記媒体搬送経路を挟んで一方に配置される第１光学部位及び他方に配置される第２光学部位を備え、前記第２光学部位は、前記媒体搬送経路の経路面と交差する方向に延びる壁面に形成された凹部に収容されることを特徴とする。
【図面の簡単な説明】
【０００６】
【図１】プリンターの外観斜視図。
【図２】プリンターの側断面図。
【図３】プリンターの用紙搬送経路の概略図。
【図４】検出手段の第１実施形態を示す図。
【図５】検出手段の第２実施形態を示す図。
【図６】検出手段の第３実施形態を示す図。
【図７】検出手段の第４実施形態を示す図。
【図８】検出手段の第５実施形態を示す図。
【図９】検出手段の第６実施形態を示す図。
【図１０】検出手段の第７実施形態を示す図。
【図１１】検出手段の第８実施形態を示す図。
【発明を実施するための形態】
【０００７】
以下、本発明について概略的に説明する。  
第１の態様に係る媒体搬送装置は、媒体を搬送する媒体搬送経路と、前記媒体搬送経路と交差する検出光によって媒体を検出する媒体検出手段と、を備え、前記媒体検出手段は、前記検出光の光路を構成する部位子であって、前記媒体搬送経路を挟んで一方に配置される第１光学部位及び他方に配置される第２光学部位を備え、前記第１光学部位及び前記第２光学部位の一方又は双方が、前記媒体搬送経路の経路面と交差する方向に延びる壁面に形成された凹部に収容されることを特徴とする。
【０００８】
本態様によれば、前記第１光学部位及び前記第２光学部位の一方又は双方が、前記媒体搬送経路の経路面と交差する方向に延びる壁面に形成された凹部に収容されるので、前記第１光学部位及び前記第２光学部位の一方或いは双方が前記媒体搬送経路から隠れた状態となり、前記第１光学部位及び前記第２光学部位の一方或いは双方への異物の付着を抑制できる。  
尚、本明細書において光学部位とは、発光素子、受光素子、レンズ、プリズム、反射板、透過板などの、検出光の光路を構成し得る全ての部位を含む意味で用いるものとし、前記第１光学部位及び前記第２光学部位は、そのうちのいずれかの部位となる。
【０００９】
第２の態様は、第１の態様において、前記媒体搬送経路は、鉛直方向と交差する方向に延び、前記第２光学部位は、前記媒体搬送経路に対し下に配置され、前記凹部に収容されることを特徴とする。  
本態様によれば、前記媒体搬送経路は、鉛直方向と交差する方向に延び、前記第２光学部位は、前記媒体搬送経路に対し下に配置されるので、重力の作用で前記第２光学部位に異物が落下し、付着し易いが、前記第２光学部位が前記凹部に収容されるので、上述した第１の態様の作用効果によって、前記第２光学部位への異物の付着を抑制できる。
【００１０】
第３の態様は、第２の態様において、前記凹部と前記媒体搬送経路との間には、前記壁面から突出する突出部が設けられることを特徴とする。  
本態様によれば、前記凹部と前記媒体搬送経路との間には、前記壁面から突出する突出部が設けられるので、前記突出部によって、前記媒体搬送経路から前記第２光学部位に向かう異物の量を抑制することができる。
【００１１】
第４の態様は、第２のまたは第３の態様において、前記壁面は、前記凹部よりも下方に延びていることを特徴とする。  
本態様によれば、前記壁面は、前記凹部よりも下方に延びているので、前記壁面の端部に異物が堆積し、前記凹部に入り込むことを回避できる。
【００１２】
第５の態様は、第２から第４の態様のいずれかにおいて、前記凹部は、前記検出光を透過する透過部材で覆われることを特徴とする。  
本態様によれば、前記凹部は、前記検出光を透過する透過部材で覆われるので、前記凹部の内部への異物の入り込みを効果的に抑制できる。
【００１３】
第６の態様は、第２から第５の態様のいずれかにおいて、前記壁面は、媒体搬送方向に沿う面であることを特徴とする。  
本態様によれば、前記壁面が、媒体搬送方向に沿う面である構成において、上述した第２から第５の態様のいずれかの作用効果が得られる。
【００１４】
第７の態様は、第２から第５の態様のいずれかにおいて、前記壁面は、媒体搬送方向の下流方向を向く面であることを特徴とする。  
本態様によれば、前記壁面が、媒体搬送方向の下流方向を向く面である構成において、上述した第２から第５の態様のいずれかの作用効果が得られる。
【００１５】
第８の態様は、第２から第５の態様のいずれかにおいて、前記壁面は、媒体搬送方向の上流方向を向く面であることを特徴とする。  
本態様によれば、前記壁面が、媒体搬送方向の上流方向を向く面である構成において、上述した第２から第５の態様のいずれかの作用効果が得られる。
【００１６】
第９の態様は、第２から第８の態様のいずれかにおいて、前記壁面と対向し、前記媒体搬送経路の経路面と交差する方向に延びる対向面を有し、前記第１光学部位は、前記検出光を発する発光素子を含み、前記第２光学部位は、前記検出光を反射させる第１反射面を含み、前記対向面には、前記第１光学部位から発せられた前記検出光を前記第２光学部位に向けて反射させ、前記第２光学部位で反射した前記検出光を前記第１光学部位に向けて反射させる第２反射面が設けられることを特徴とする。
【００１７】
本態様によれば、前記第１光学部位と前記第２光学部位との間には、前記第２反射面が介在するので、前記第１光学部位と前記第２光学部位との間の前記検出光の光路が長くなり、前記凹部即ち前記第２光学部位が前記媒体搬送経路からより離れるので、前記第２光学部位への異物の付着をより一層抑制できる。
【００１８】
第１０の態様は、第９の態様において、前記第２反射面と前記媒体搬送経路との間には、前記対向面から突出する庇部が設けられることを特徴とする。  
本態様によれば、前記第２反射面と前記媒体搬送経路との間には、前記対向面から突出する庇部が設けられるので、前記媒体搬送経路から前記第２反射面に向かう異物の量を抑制できる。
【００１９】
第１１の態様は、第２から第８の態様のいずれかにおいて、前記第１光学部位は、前記検出光を発する発光素子、及び前記検出光を受光する受光素子を含み、前記第２光学部位は、前記検出光を前記第１光学部位に向けて反射させる反射面を含み、前記第１光学部位と前記第２光学部位とが対向する位置にあることを特徴とする。  
本態様によれば、前記第１光学部位が、前記検出光を発する発光素子、及び前記検出光を受光する受光素子を含み、前記第２光学部位が、前記検出光を前記第１光学部位に向けて反射させる反射面を含み、前記第１光学部位と前記第２光学部位とが対向する位置にある構成において、上述した第２から第８の態様のいずれかの作用効果が得られる。
【００２０】
第１２の態様は、第２から第８の態様のいずれかにおいて、前記第１光学部位は、前記検出光を発する発光素子を含み、前記第２光学部位は、前記検出光を受光する受光素子を含み、前記第１光学部位と前記第２光学部位とが対向する位置にあることを特徴とする。  
本態様によれば、前記第１光学部位が、前記検出光を発する発光素子を含み、前記第２光学部位が、前記検出光を受光する受光素子を含み、前記第１光学部位と前記第２光学部位とが対向する位置にある構成において、上述した第２から第８の態様のいずれかの作用効果が得られる。
【００２１】
第１３の態様に係る記録装置は、媒体に記録を行う記録手段と、媒体を搬送する、第１から第１２の態様のいずれかに係る前記媒体搬送装置とを備えたことを特徴とする。  
本態様によれば、媒体に記録を行う記録部を備える記録装置において、第１から第１２の態様のいずれかと同様の作用効果が得られる。
【００２２】
以下、本発明を具体的に説明する。  
以下では記録装置の一例としてインクジェットプリンター１について説明する。以下、インクジェットプリンター１を単にプリンター１という。  
尚、各図において示すＸ−Ｙ−Ｚ座標系は、Ｘ軸方向が記録ヘッド１０の走査方向であり、記録が行われる記録用紙の幅方向でもあり、また装置幅方向でもある。プリンター１と対面して＋Ｘ方向が左方向となり、−Ｘ方向が右方向となる。  
Ｙ軸方向は装置奥行方向であり、概ね記録時の用紙搬送方向に沿う方向である。＋Ｙ方向は装置背面から前面に向かう方向であり、−Ｙ方向は装置前面から背面に向かう方向である。本実施形態ではプリンター１の周囲を構成する側面のうち、排出トレイ１９が設けられた側面が装置前面となる。  
Ｚ軸方向は鉛直方向に沿う方向であり、装置高さ方向である。＋Ｚ方向が鉛直上方向であり、−Ｚ方向が鉛直下方向である。
【００２３】
以下、図１〜図３を参照して、プリンター１の全体構成について説明する。  
図１に示すプリンター１は、記録ユニット２と、液体格納ユニット３と、を備えて構成されている。  
記録ユニット２は、媒体の一例としての記録用紙に記録を行う記録ヘッド１０と、記録用紙を搬送する搬送経路を備えた用紙搬送装置９（図２）と、を含む各種構成部を内部に備えている。尚、記録用紙を搬送する観点において、プリンター１の全体が記録用紙を搬送する搬送装置と捉えることもできる。
【００２４】
記録ヘッド１０には、図３に示す様に複数のインク吐出ノズル１１が設けられている。記録ヘッド１０は、Ｘ軸方向に移動可能なキャリッジ２７に搭載されており、Ｘ軸方向に移動しながらインク吐出ノズル１１から液体の一例であるインクを記録用紙に吐出して記録を行う、所謂インクジェット式の記録ヘッドとして構成されている。
【００２５】
プリンター１は、記録機能だけでなく、原稿の読み取り機能、すなわちスキャナーを備える複合機として構成されている。本実施形態においては、記録ユニット２の上部にスキャナー部４が設けられている。尚、図１〜図３では、スキャナー部４の詳細な構成の図示は省略する。  
装置上部前方には、図１に示すようにスキャナー部４を含むプリンター１を操作する操作部５が設けられている。
【００２６】
図１に示す液体格納ユニット３には、記録ヘッド１０に供給するインクを収容した不図示の液体収容体が格納されている。インクは、液体格納ユニット３に格納された液体収容体から不図示のチューブを介して記録ヘッド１０に供給される。
【００２７】
記録ユニット２には、図２に示す記録ヘッド１０に向けて記録用紙を供給する上部供給機構７が設けられている。装置上部の後方には、図２に示す上部供給機構７へ記録用紙をセットする用紙セット部８を開閉する上部カバー２ａが設けられている。図２に示すように上部カバー２ａを開くことにより、用紙セット部８への記録用紙のセットが可能となる。
【００２８】
また、記録ユニット２の下方には、図２に示すように用紙トレイ６が設けられており、用紙トレイ６から記録ヘッド１０に向けて記録用紙を供給する下部供給機構１２が設けられている。記録ヘッド１０は、上部供給機構７または下部供給機構１２によって供給される記録用紙に記録を実行する。  
尚、プリンター１には、記録ユニット２に内蔵される用紙トレイ６の他、記録ユニット２の下部、或いは、液体格納ユニット３の下部に増設用の用紙収容ユニット（不図示）を設けることも可能である。
【００２９】
続いて、図３を参照してプリンター１において記録用紙を搬送する用紙搬送装置９の用紙搬送経路について説明する。  
図３において、符号Ｔ１で示す実線は、用紙トレイ６から下部供給機構１２によって給送される記録用紙の搬送経路を示している。以下、この経路を用紙搬送経路Ｔ１と言う。また、符号Ｔ２で示す一点鎖線は、上部供給機構７によって給送される記録用紙の搬送経路を示している。この経路を用紙搬送経路Ｔ２と言う。
【００３０】
また、プリンター１は、記録用紙の第１面への記録後に当該記録用紙を反転して、第１面の反対面である第２面への記録を行う、所謂、両面記録を実行可能に構成されている。図３において符号Ｔ３で示す点線は、両面記録を実行する際に、第１面への記録後の記録用紙を反転する際に記録用紙が通るスイッチバック経路Ｔ３である。
【００３１】
用紙搬送装置９には、用紙搬送経路において記録用紙の先端及び後端の通過を検出する検出手段４０が設けられている。本発明の特徴となる検出手段４０については、用紙搬送経路について説明した後に詳説する。  
以下において、用紙搬送経路Ｔ１、用紙搬送経路Ｔ２、スイッチバック経路Ｔ３の順に説明する。
【００３２】
用紙搬送経路Ｔ１には、用紙搬送装置９を構成する下部供給機構１２、反転ローラー２０、送りローラー２１、上流搬送ローラー対３０、第１搬送ローラー対３１、及び第２搬送ローラー対３２が設けられている。
【００３３】
符号Ｐ１は、用紙トレイ６にセットされた用紙束を表している。下部供給機構１２は、用紙トレイ６にセットされた用紙束Ｐ１を１枚ずつ送り出す。下部供給機構１２は、ピックアップローラー１６、下部給送ローラー１７、及び下部分離ローラー１８を備えている。
【００３４】
用紙トレイ６に収容された用紙束Ｐ１は、用紙トレイ６からピックアップローラー１６によってピックアップされた後、下部給送ローラー１７と下部分離ローラー１８とでニップされて、反転ローラー２０に向けて送り出される。  
反転ローラー２０は、その外周面で記録用紙を反転させつつ搬送するローラーである。符号２２及び符号２４で示すローラーは、それぞれ反転ローラー２０との間で記録用紙をニップする第１反転従動ローラー及び第３反転従動ローラーである。記録用紙は、反転ローラー２０によって反転されて、用紙トレイ６において上を向いていた面が下を向いた状態で送りローラー２１に向けて送られる。
【００３５】
反転ローラー２０の下流には、送りローラー２１が設けられている。尚、反転ローラー２０及び送りローラー２１は、不図示の駆動源によって駆動される。  
符号２５で示すローラーは、送りローラー２１との間で記録用紙をニップする第１送り従動ローラーである。記録用紙は、送りローラー２１と第１送り従動ローラー２５とによってニップされて、送りローラー２１の下流に位置する上流搬送ローラー対３０に送られる。  
上流搬送ローラー対３０は、駆動ローラー３０ａと、従動ローラー３０ｂと、を備えて構成されている。
【００３６】
用紙搬送方向において、記録ヘッド１０の下流には、記録用紙を搬送する第１搬送ローラー対３１及び第２搬送ローラー対３２が設けられている。第１搬送ローラー対３１は、第１搬送駆動ローラー３１ａと、第１搬送従動ローラー３１ｂとを備えて構成されている。第２搬送ローラー対３２は、第２搬送駆動ローラー３２ａと、第２搬送従動ローラー３２ｂとを備えて構成されている。  
駆動ローラー３０ａ、第１搬送駆動ローラー３１ａ、第２搬送駆動ローラー３２ａ、のこれらは、不図示のモーターによって回転駆動される。
【００３７】
記録ヘッド１０に対向する位置には、記録用紙Ｐを支持する用紙支持部材３３が設けられている。用紙支持部材３３に支持されつつ記録領域Ｋを通過する記録用紙に対して、記録ヘッド１０の複数のノズル１１からインクが吐出されて記録が行われる。  
記録ヘッド１０による記録後の記録用紙は、第１搬送ローラー対３１及び第２搬送ローラー対３２によって排出トレイ１９に排出される。
【００３８】
続いて、同じく図３を参照して、用紙セット部８から上部供給機構７によって給送される記録用紙の搬送経路である用紙搬送経路Ｔ２について説明する。  
上部供給機構７によって給送される記録用紙は、用紙セット部８にセットされる。用紙セット部８には複数枚の記録用紙をセット可能である。図３において、用紙セット部８にセットされた用紙束を符号Ｐ２で示している。もちろん、用紙セット部８には一枚の記録用紙をセットすることも可能である。
【００３９】
用紙セット部８は、用紙搬送方向の上流に設けられる回動軸８ａに対して揺動するホッパーとして形成されている。図２において、用紙セット部８の上流には、用紙束Ｐ２の後端側を支持するペーパーサポート３４が設けられている。ペーパーサポート３４は、図２においてペーパーサポート３４の下方に位置する収納部３５に収納可能、且つ、収納部３５から引き出し可能に構成されている。上部供給機構７による給紙を行う場合には、ペーパーサポート３４が収納部３５から引き出され、上部供給機構７の非使用時には、ペーパーサポート３４が収納部３５に収納されて、上部カバー２ａを閉じることができる。
【００４０】
図３に戻り、用紙セット部８の下流には、上部供給機構７を構成する上部給送ローラー１３、上部分離ローラー１４、及び下流給送ローラー対１５が設けられている。  
用紙セット部８は、先端が上部給送ローラー１３に近づくように揺動し、用紙セット部８にセットされた用紙束Ｐ２の最上位の記録用紙が上部給送ローラー１３の回転によって下流に給送される。上部分離ローラー１４は、上部給送ローラー１３との間で記録用紙をニップして、複数の記録用紙を１枚に分離する。  
上部給送ローラー１３によって給送される記録用紙は、更に下流給送ローラー対１５によって下流に送られる。下流給送ローラー対１５は、駆動ローラー１５ａと、これに従動回転する従動ローラー１５ｂとを備えて構成される。
【００４１】
用紙搬送経路Ｔ２は、送りローラー２１と第１送り従動ローラー２５とのニップ位置の上流の第１合流部Ｇ１において、前述した用紙搬送経路Ｔ１に合流する。  
用紙搬送経路Ｔ２を搬送される記録用紙は、第１合流部Ｇ１から用紙搬送経路Ｔ１に入り、その後は用紙トレイ６から給送された記録用紙と同様、上流搬送ローラー対３０によって記録領域Ｋに送られて記録ヘッド１０による記録が行われた後、第１搬送ローラー対３１及び第２搬送ローラー対３２によって排出トレイ１９に排出される。
【００４２】
続いて、両面記録を行う場合の搬送経路であるスイッチバック経路Ｔ３について説明する。  
両面記録を行う場合、記録用紙の第１面に記録が行われた後、図３に示す上流搬送ローラー対３０、第１搬送ローラー対３１、及び第２搬送ローラー対３２を、記録時の回転方向とは逆方向に回転させる。このことによって、記録用紙は記録ヘッド１０によって記録を行う場合の用紙搬送方向である＋Ｙ方向とは反対の−Ｙ方向に搬送され、スイッチバック経路Ｔ３に入る。  
スイッチバック経路Ｔ３において、記録用紙は、送りローラー２１と第２送り従動ローラー２６とにニップされて−Ｙ方向に搬送され、更に、反転ローラー２０と第２反転従動ローラー２３とにニップされて−Ｙ方向に搬送される。
【００４３】
スイッチバック経路Ｔ３は、反転ローラー２０と第３反転従動ローラー２４とのニップ位置の上流の第２合流部Ｇ２において用紙搬送経路Ｔ１に合流しており、記録用紙は、用紙搬送経路Ｔ１に入るとともに反転ローラー２０によって反転されて搬送される。このことによって、記録用紙は、直近の記録面である第１面が下を向き、第２面が上側、すなわち、記録ヘッド１０に対向する姿勢で記録領域Ｋに送られる。  
記録領域Ｋにおいて記録ヘッド１０による第２面への記録が行われた後、記録用紙は、排出トレイ１９に向けて排出される。
【００４４】
続いて、プリンター１の用紙搬送経路Ｔ１において第１搬送ローラー対３１と第２搬送ローラー対３２との間に設けられた検出手段４０について説明する。検出手段４０は、用紙搬送経路Ｔ１と交差する検出光によって記録用紙を検出する手段であり、本実施形態では光学センサーである。  
尚、以下では、検出手段の一例として第１搬送ローラー対３１と第２搬送ローラー対３２との間に設けられた検出手段４０について説明するが、プリンター１においてはその他の位置にも検出手段（不図示）が設けられており、その検出手段に対し、以降説明する各実施形態を適用することもできる。
【００４５】
[第１実施形態]
以下、図４を参照して検出手段４０の第１実施形態を説明する。第１実施形態に係る検出手段には、符号４０Ａを付している。  
図４において符号３８は第１搬送ローラー対３１と第２搬送ローラー対３２との間の用紙搬送経路であり、用紙搬送経路３８は鉛直方向と交差する方向に延びており、本実施形態では水平に近い方向に延びている。尚、厳密には用紙搬送経路３８は下流（図４において左方向）に向かってやや上り傾斜を成しているが、図４では説明の便宜上水平に描いている。
【００４６】
符号５１は用紙搬送経路３８の上側を形成する上経路形成部材であり、符号５１ａは上経路形成面である。また符号５３は用紙搬送経路３８の下側を形成する下経路形成部材であり、符号５３ａは下経路形成面である。
【００４７】
検出手段４０Ａは、検出光の光路を構成する部位であって、用紙搬送経路３８を挟んで一方に配置される第１光学部位及び他方に配置される第２光学部位を備えている。本実施形態では、第１光学部位は検出光を発する発光素子４１及び検出光を受ける受光素子４２を備えて構成され、第２光学部位は第１反射板４５を備えて構成される。第１反射板４５の表面は、検出光を反射する反射面となる。
【００４８】
下経路形成部材５３には、下経路形成面５３ａと交差する方向に貫通部６０が形成されている。図４では貫通部６０における下流の壁面を符号５７で示し、貫通部６０における上流の壁面、つまり壁面５７と対向する面を符号５８で示している。以下、符号５８で示す壁面を対向面と称する。
【００４９】
壁面５７には凹部５５が形成されており、この凹部５５に、第１反射板４５が収容されている。壁面５７と対向する対向面５８には第２反射板４６が設けられている。第２反射板４６の表面は、検出光を反射する反射面となる。  
発光素子４１から発せられた検出光は、第２反射板４６で反射し、第１反射板４５に向かう。符号Ｓ１で示す破線は、発光素子４１から第１反射板４５に向かう検出光の光路、即ち検出光の往路を示している。  
第１反射板４５に到達した検出光は、第１反射板４５で反射し、第２反射板４６で反射して受光素子４２に向かう。符号Ｓ２で示す二点鎖線は、第１反射板４５から受光素子４２に向かう検出光の光路、即ち検出光の復路を示している。
【００５０】
本実施形態によれば、第２光学部位を構成する第１反射板４５が、凹部５５に収容されているので、第１反射板４５が用紙搬送経路３８から隠れた状態となり、第１反射板４５への異物の付着を抑制できる。尚、異物には、紙粉、インクミスト、塵埃が含まれる。  
また、第２反射板４６は、用紙搬送経路３８と交差する対向面５８に設けられているので、第２反射板４６に対しても異物が付着し難い。尚、本実施形態において対向面５８は、下経路形成面５３ａに対してほぼ垂直である。
【００５１】
本実施形態では、用紙搬送経路３８は鉛直方向と交差する方向に延びており、第２光学部位を構成する第１反射板４５は、用紙搬送経路３８に対し下に配置される。この様な配置により、第１反射板４５には異物が落下し、付着し易いが、上述の通り第１反射板４５は凹部５５に収容されているので、異物の付着を抑制できる。尚、第１光学部位を構成する発光素子４１及び受光素子４２は、用紙搬送経路３８に対して上に配置されているので、異物は殆ど付着しないか、或いは付着しても第１反射板４５と比べて極めて微量となる。
【００５２】
また本実施形態では、壁面５７は、凹部５５よりも用紙搬送経路３８と交差する方向つまり下方に延びており、より具体的には貫通部６０によって壁面５７が形成されているので、壁面５７の下端部に異物が堆積し、凹部５５に入り込むことを回避できる。  
尚、貫通部６０に代えて底面を有する凹部としても良い。但しその場合、凹部の底面は、凹部５５の下側の縁よりも更に下方に位置することが好ましい。このことにより、凹部の底面に異物が付着して、凹部５５内に収容された第１反射板４５の位置まで到達することを防ぐことができる。
【００５３】
[第２実施形態]
上記第１実施形態では、凹部５５が形成される壁面５７は、用紙搬送方向（＋Ｙ方向）の上流方向（−Ｙ方向）に向いているが、図５に示す第２実施形態に係る検出手段４０Ｂのように、壁面５７が用紙搬送方向の下流方向（＋Ｙ方向）に向くように構成しても良い。  
尚、本実施形態を含み、以降説明する各実施形態では、既に説明した構成要素と同一の構成には同一符号を付し、再度の説明は省略する。
【００５４】
[第３実施形態]
壁面５７は、図６に示す検出手段４０Ｃの様に、用紙搬送方向（Ｙ軸方向）に沿う面であっても良い。図６の左右方向が用紙幅方向であり、紙面表から裏に向かう方向、或いは紙面裏から表に向かう方向が、用紙搬送方向となる。  
本実施形態における壁面５７は、Ｘ軸方向と直交する面であり、Ｙ−Ｚ平面に平行な面である。尚、本実施形態を除く他の実施形態は全て、Ｙ軸方向と直交する面であり、Ｘ−Ｚ平面に平行な面である。
【００５５】
[第４実施形態]
以下、図７を参照して検出手段４０の第４実施形態を説明する。第４実施形態に係る検出手段には、符号４０Ｄを付している。  
本実施形態において凹部５５と用紙搬送経路３８との間には、壁面５７から突出する突出部６３が設けられている。この突出部６３によって、用紙搬送経路３８から第１反射板４５に向かう異物の量を抑制することができる。  
また同様に、第２反射板４６と用紙搬送経路３８との間には、対向面５８から突出する庇部６５が設けられている。この庇部６５によって、用紙搬送経路３８から第２反射板４６に向かう異物の量を抑制できる。  
尚、突出部６３と庇部６５は、いずれか一方のみ設けても良い。
【００５６】
[第５実施形態]
以下、図８を参照して検出手段４０の第５実施形態を説明する。第５実施形態に係る検出手段には、符号４０Ｅを付している。  
本実施形態において凹部５５は、検出光を透過する透過部材６７で覆われている。この様に凹部５５が透過部材６７で覆われるので、凹部５５の内部への異物の入り込みを効果的に抑制できる。
【００５７】
[第６実施形態]
以下、図９を参照して検出手段４０の第６実施形態を説明する。第６実施形態に係る検出手段には、符号４０Ｆを付している。  
本実施形態においては、第１光学部位が発光素子４１で構成され、第２光学部位が受光素子４２で構成される。即ち、受光素子４２が凹部５５に収容される。  
この様に構成することで、受光素子４２への異物の付着を抑制できる。また、検出光の光路長が上述した第１〜第５実施形態と比べて短くなるので、検出精度が向上する。
【００５８】
[第７実施形態]
以下、図１０を参照して検出手段４０の第７実施形態を説明する。第７実施形態に係る検出手段には、符号４０Ｇを付している。  
本実施形態においては、第１光学部位が発光素子４１及び受光素子４２で構成され、第２光学部位が第１反射板４５で構成され、第１光学部位と第２光学部位とが対向する位置関係にある。  
本実施形態においても、第２光学部位を構成する第１反射板４５が凹部５５に配置されるので、第１反射板４５への異物の付着を抑制できる。
【００５９】
[第８実施形態]
以下、図１１を参照して検出手段４０の第８実施形態を説明する。第８実施形態に係る検出手段には、符号４０Ｈを付している。  
本実施形態においては、第１光学部位が発光素子４１で構成され、第２光学部位が受光素子４２で構成され、第１光学部位と第２光学部位とが対向する位置関係にある。  
本実施形態においても、第２光学部位を構成する受光素子４２が凹部５５に配置されるので、受光素子４２への異物の付着を抑制できる。また、上述した第７実施形態と比べて検出光の光路長が短くなるので、検出精度が向上する。
【００６０】
本発明は上記において説明した各実施形態に限定されることなく、特許請求の範囲に記載した発明の範囲内で、種々の変形が可能であり、それらも本発明の範囲内に含まれるものであることは言うまでもない。  
例えば、図７を参照して説明した突出部６３、庇部６５、図８を参照して説明した透過部材６７、のこれらは、図５、図６、図９、図１０、及び図１１に示した各実施形態に適用することもできる。  
また、図９、図１１に示した実施形態では、第１光学部位を発光素子４１で構成し、第２光学部位を受光素子４２で構成したが、その逆に第１光学部位を受光素子４２で構成し、第２光学部位を発光素子４１で構成し、即ち発光素子４１を凹部５５に収容しても良い。同様に、図４〜図８、図１０に示した実施形態では、第１光学部位を発光素子４１及び受光素子４２で構成し、第２光学部位を第１反射板４５で構成したが、その逆に第１光学部位を第１反射板４５で構成し、第２光学部位を発光素子４１及び受光素子４２で構成し、即ち発光素子４１及び受光素子４２を凹部５５に収容しても良い。  
また、上記各実施形態では、第１光学部位と第２光学部位のうち、第２光学部位のみを凹部に収容したが、第２光学部位と第１光学部位の双方に対して凹部を設け、そして凹部に収容しても良い。
【符号の説明】
【００６１】
１…インクジェットプリンター、２…記録ユニット、３…液体格納ユニット、４…スキャナー部、５…操作部、６…記録用紙トレイ、７…上部供給機構、８…用紙セット部、９…用紙搬送装置、１０…記録ヘッド（記録部）、１１…インク吐出ノズル、１２…下部供給機構、１３…上部給送ローラー、１４…上部分離ローラー、１５…下流給送ローラー対、１５ａ…駆動ローラー、１５ｂ…従動ローラー、１６…ピックアップローラー、１７…下部給送ローラー、１８…下部分離ローラー、１９…排出トレイ、２０…反転ローラー、２１…送りローラー、２２…第１反転従動ローラー、２３…第２反転従動ローラー、２４…第３反転従動ローラー、２５…第１送り従動ローラー、２６…第２送り従動ローラー、２７…キャリッジ、３０…上流搬送ローラー対、３１…第１搬送ローラー対、３２…第２搬送ローラー対、３３…用紙支持部材、３４…ペーパーサポート、３５…収納部、３８…用紙搬送経路、４０、４０Ａ、４０Ｂ、４０Ｃ、４０Ｄ、４０Ｅ、４０Ｆ、４０Ｇ、４０Ｈ…検出手段、４１…発光素子４１…受光素子、４５…第１反射板、４６…第２反射板、５１…上経路形成部材、５１ａ…上経路形成面、５３…下経路形成部材、５３ａ…下経路形成面、５５…凹部、５７…壁面、５８…対向面、６０…貫通部、６３…突出部、６５…庇部、６７…透過部材、Ｓ１、Ｓ２…光路、Ｔ１…媒体搬送経路、Ｔ２…媒体搬送経路、Ｔ３…スイッチバック経路、Ｇ１…第１合流部、Ｇ２…第２合流部
【図１】
2020121838.tif 000003
【図２】
2020121838.tif 000004
【図３】
2020121838.tif 000005
【図４】
2020121838.tif 000006
【図５】
2020121838.tif 000007
【図６】
2020121838.tif 000008
【図７】
2020121838.tif 000009
【図８】
2020121838.tif 000010
【図９】
2020121838.tif 000011
【図１０】
2020121838.tif 000012
【図１１】
2020121838.tif 000013